(57)【要約】【課題】薄型化を図ることができるＬＥＤ照明器具を提供する。【解決手段】器具本体２０に支持される一対のソケット３０により、直管型ＬＥＤランプ４０の長手方向両端部を支持して給電する。直管型ＬＥＤランプ４０は、長手方向一端部の第１口金４２１に設けられた２本の第１ピン４３１と、長手方向他端部の第２口金４２２に設けられた１本の第２ピン４３２と、を有する。そして、第１口金４２１および第２口金４２２のうちの少なくとも一方における側面に、直管型ＬＥＤランプ４０が規定位置に配置された際に、器具本体２０に支持された凸部３３３の外形状に沿う凹部４２３を設けた。このため、口金４２と器具本体２０の凸部３３３とが干渉しないので、直管型ＬＥＤランプ４０を器具本体２０寄りに配置することができ、照射範囲を減少することなくＬＥＤ照明器具１０の薄型化を図ることができる。【選択図】図４
2013127868.tif 000002
【特許請求の範囲】
【請求項１】
器具本体と、
前記器具本体に支持される一対のソケットと、
前記各ソケットに長手方向両端部が支持される直管型ＬＥＤランプと、を備え、
前記ソケットが、前記器具本体に支持されるソケット本体と、前記ソケット本体に支持されるソケット受部と、を有し、
前記直管型ＬＥＤランプが、長手方向一端部の第１口金に設けられた２本の第１ピンと、長手方向他端部の第２口金に設けられた１本の第２ピンと、前記第１口金および前記第２口金のうちの少なくとも一方における側面に設けられ、当該直管型ＬＥＤランプが規定位置に配置された際に、前記器具本体に支持された凸部の外形状に沿う凹部と、を有するＬＥＤ照明器具。
【請求項２】
請求項１に記載のＬＥＤ照明器具において、
前記ソケット本体に対して前記ソケット受部が、前記直管型ＬＥＤランプの長手方向に沿って弾性的に移動可能であるＬＥＤ照明器具。
【請求項３】
請求項１または請求項２に記載のＬＥＤ照明器具において、
前記凸部および前記凹部のうちの一方に設けられた溝部と、
前記凸部および前記凹部のうちの他方に設けられ、前記溝部に係合するリブと、を有するＬＥＤ照明器具。
【請求項４】
請求項１ないし請求項３のうちのいずれか１項に記載のＬＥＤ照明器具において、
前記第１口金および前記第２口金のうちの少なくとも一方における側面に設けられた突起と、
前記凸部に設けられ、前記直管型ＬＥＤランプが規定位置に配置された際に、前記突起に操作されるスイッチ部と、を有し、
前記スイッチ部が前記第１口金に対して通電するＬＥＤ照明器具。
【発明の詳細な説明】
【技術分野】
【０００１】
本発明は、直管内にＬＥＤを配置した直管型ＬＥＤランプを用いたＬＥＤ照明器具に関するものである。
【背景技術】
【０００２】
従来より、照明器具として、直管型の蛍光ランプを光源とする照明器具が広く用いられてきた。
そして、近年、省エネの観点から、蛍光ランプに比して消費電力が小さなＬＥＤ（Light Emitting Diode）を実装したＬＥＤランプを用いるという考えが次第に普及してきた。
このため、直管型蛍光ランプおよび代替えランプ（例えば、直管型ＬＥＤランプ）の両方に使用可能な照明器具が提案されている（例えば、特許文献１参照）。
【０００３】
図１７に示すように、照明器具に使用されるランプソケット１００は、従来より用いられている蛍光ランプ、又はこのような蛍光ランプと外形寸法が同寸法に形成された代替ランプの何れかが着脱自在に装着される。
このランプソケット１００は、ケース１０１と、プランジャー１０２と、蛍光ランプのランプピンを介して蛍光ランプに高周波電力を供給する一対の第１給電用端子１０３，１０３を有する。
さらに、一対の第１給電用端子１０３，１０３の間に、高周波電力とは異なる所望の電力を供給する１本の第２の給電用端子１０４を有する。
【０００４】
ケース１０１は、前面側が開口する箱状のボディ１０５と、ボディ１０５の前面開口を閉塞する形でボディ１０５に取り付けられるカバー１０６とで構成されており、給電用端子１０３，１０４は、ケース１０１の内部に収容される。
プランジャー１０２はカバー１０６に設けられている開口部１０６Ａに、出没可能に設けられており、ケース１０１内部に押し込み可能となっている。プランジャー１０２は、常時は、ばね１０７により前方に付勢されて、前面がカバー１０６の前面と略同一面となる。
これにより、蛍光ランプを用いる場合には、第１給電用端子１０３を介して点灯電力が供給され、代替ランプを用いる場合には、第２給電用端子１０４を介して点灯電力が供給されることになる。
【先行技術文献】
【特許文献】
【０００５】
【特許文献１】特開２０１１−１７１２２５号公報（第１図）
【発明の概要】
【発明が解決しようとする課題】
【０００６】
一般に直管型のランプを用いる照明器具においては、図１８に示すように、器具本体１０８に取り付けられるランプソケット１００は、蛍光ランプまたは代替ランプ等のランプ１０９の両端に設けられている口金１１０と干渉しないように配置されている。
すなわち、器具本体１０８において対向する一対のランプソケット１００、１００の前面の間隔は、ランプ１０９の両端の口金１１０，１１０の外側面の間隔よりも大きく設定されている。
また、近年、照明器具の小型化の観点から、照明器具の薄型化が望まれている。
【０００７】
本発明は、従来の問題を解決するためになされたもので、薄型化を図ることができるＬＥＤ照明器具を提供することを目的とする。
【課題を解決するための手段】
【０００８】
本発明のＬＥＤ照明器具は、器具本体と、前記器具本体に支持される一対のソケットと、前記各ソケットに長手方向両端部が支持される直管型ＬＥＤランプと、を備え、前記ソケットが、前記器具本体に支持されるソケット本体と、前記ソケット本体に支持されるソケット受部と、を有し、前記直管型ＬＥＤランプが、長手方向一端部の第１口金に設けられた２本の第１ピンと、長手方向他端部の第２口金に設けられた１本の第２ピンと、前記第１口金および前記第２口金のうちの少なくとも一方における側面に設けられ、当該直管型ＬＥＤランプが規定位置に配置された際に、前記器具本体に支持された凸部の外形状に沿う凹部と、を有するものである。
【０００９】
また、本発明のＬＥＤ照明器具は、前記ソケット本体に対して前記ソケット受部が、前記直管型ＬＥＤランプの長手方向に沿って弾性的に移動可能であるものである。
【００１０】
また、本発明のＬＥＤ照明器具は、前記凸部および前記凹部のうちの一方に設けられた溝部と、前記凸部および前記凹部のうちの他方に設けられ、前記溝部に係合するリブと、を有するものである。
【００１１】
さらに、本発明のＬＥＤ照明器具は、前記第１口金および前記第２口金のうちの少なくとも一方における側面に設けられた突起と、前記凸部に設けられ、前記直管型ＬＥＤランプが規定位置に配置された際に、前記突起に操作されるスイッチ部と、を有し、前記スイッチ部が前記第１口金に対して通電するものである。
【発明の効果】
【００１２】
本発明は、直管型ＬＥＤランプの第１口金および第２口金のうちの少なくとも一方における側面に、直管型ＬＥＤランプが規定位置に配置された際に、器具本体に支持された凸部の外形状に沿う凹部を設けた。このため、口金と器具本体の凸部とが干渉しないので、直管型ＬＥＤランプを器具本体側に配置することができ、薄型化を図ることができるという効果を有するＬＥＤ照明器具を提供できる。
【図面の簡単な説明】
【００１３】
【図１】本発明に係る第１実施形態のＬＥＤ照明器具の分解斜視図
【図２】（Ａ）は直管型ＬＥＤランプの正面図であり、（Ｂ）は（Ａ）中Ｂ方向から見た下面図であり、（Ｃ）は（Ｂ）中Ｃ方向から見た端面図であり、（Ｄ）は（Ｂ）中Ｄ方向から見た端面図
【図３】直管型ＬＥＤランプの断面図
【図４】（Ａ）は直管型ＬＥＤランプの給電側端部を示す斜視図であり、（Ｂ）は接地側端部を示す斜視図
【図５】（Ａ）は給電側ソケットと器具本体との取付を示す斜視図であり、（Ｂ）は接地側ソケットと器具本体との取付を示す斜視図
【図６】（Ａ）は直管型ＬＥＤランプをソケットに装着する際の断面図であり、（Ｂ）は装着後の断面図
【図７】（Ａ）は装着時に直管型ＬＥＤランプでソケット受部を押し込む前の状態を示す断面図および下面図であり、（Ｂ）はソケット受部を押し込んだ状態の断面図および下面図
【図８】（Ａ）はプランジャー式のソケットにおける直管型ＬＥＤランプの装着状態を示す断面図であり、（Ｂ）は下方から見上げた下面図
【図９】（Ａ）は本発明に係る第２実施形態のＬＥＤ照明器具における直管型ＬＥＤランプの装着状態を示す断面図であり、（Ｂ）は下方から見上げた下面図
【図１０】本発明に係る第３実施形態のＬＥＤ照明器具における給電側ソケットおよび直管型ＬＥＤランプの給電側端部を示す斜視図
【図１１】本発明に係る第４実施形態のＬＥＤ照明器具における給電側ソケットおよび直管型ＬＥＤランプの給電側端部を示す断面図
【図１２】本発明に係る第５実施形態のＬＥＤ照明器具における給電側ソケットおよび直管型ＬＥＤランプの給電側端部を示す断面図
【図１３】本発明に係る第６実施形態のＬＥＤ照明器具における給電側ソケットおよび直管型ＬＥＤランプの給電側端部を示す断面図
【図１４】本発明に係る第７実施形態のＬＥＤ照明器具における給電側ソケットおよび直管型ＬＥＤランプの給電側端部を示す断面図
【図１５】回転式のソケットおよび直管型ＬＥＤランプの端部を示す斜視図
【図１６】（Ａ）は給電側ソケットの器具本体への取付方の別の例を示す斜視図であり、（Ｂ）は接地側ソケットの器具本体への取付方の別の例を示す斜視図
【図１７】従来の照明器具に用いられているソケットの分解斜視図
【図１８】従来の照明器具におけるランプとソケットの位置関係を示す正面図
【発明を実施するための形態】
【００１４】
（第１実施形態）
以下、本発明に係る第１実施形態のＬＥＤ照明器具について、図面を用いて説明する。
図１に示すように、本発明に係る第１実施形態のＬＥＤ照明器具１０は、例えば、天井面１１に取り付けて下方を照明するシーリングライトとすることができる。
天井面１１には、例えば２本のボルト１２が下方に突出して設けられており、このボルト１２およびナット１３により器具本体２０が取り付けられる。また、天井面１１の内部（天井裏）には、商用電源に接続された電源線１４が配線されており、天井面１１から下方へ配線されている。
【００１５】
器具本体２０は、下方に開口する矩形箱状をしており、天板２１の下面には端子台２２が取り付けられている。また、天板２１の下面には下方に向かって山形に突出する反射板２３が設けられ、器具本体２０の長手方向両端部には、直管型ＬＥＤランプ４０を保持して給電等をするソケット３０が対向して設けられている。
なお、端子台２２は、電源線１４に接続されて、ソケット３０に点灯電力を供給して直管型ＬＥＤランプ４０を点灯させる。
【００１６】
図２に示すように、直管型ＬＥＤランプ４０は、断面がほぼ円形状のガラス管４１の長手方向両端に口金４２を有し、口金４２には長手方向に沿ってピン４３が設けられている。
図３に示すように、直管型ＬＥＤランプ４０のガラス管４１の内部には、複数のＬＥＤ４４を器具本体２０の長手方向に実装させたＬＥＤ基板４５を有するＬＥＤユニット４６を内蔵している。ＬＥＤユニット４６は、ガラス管４１の内部において上方に配置されている。
このため、直管型ＬＥＤランプ４０は、全周の下側の略２／３が発光範囲θ１となり、上側の１／３が非発光部θ２となっているので、直管型ＬＥＤランプ４０を器具本体２０寄りに配置しても、照射範囲は減少しない。
【００１７】
図４（Ａ）に示すように、ガラス管４１の左端部には給電側である第１口金４２１が設けられており、第１口金４２１の端面には、２本の給電ピンである第１ピン４３１がガラス管４１の長手方向に沿って設けられている。
第１ピン４３１は全体Ｌ字形状をしており、先端部４３１Ａは外側に向かって屈曲している。
【００１８】
また、図４（Ｂ）に示すように、ガラス管４１の右端部には接地側である第２口金４２２が設けられており、第２口金４２２の端面には、１本の接地ピンである第２ピン４３２がガラス管４１の長手方向に沿って設けられている。
第２ピン４３２は、全体Ｔ字形状をしており、先端部４３２Ａは両外側に向かって突出している。
なお、第１口金４２１および第２口金４２２を総称する場合には口金４２で示し、第１ピン４３１および第２ピン４３２を総称する場合にはピン４３で示す。
【００１９】
図４（Ａ）および図４（Ｂ）に示すように、直管型ＬＥＤランプ４０において、第１口金４２１および第２口金４２２のうちの少なくとも一方の側面には、凹部４２３が設けられている。
なお、図４（Ａ）においては、給電側の第１口金４２１に凹部４２３を設けた場合を示しているが、図４（Ｂ）に示すように、接地側の第２口金４２２に凹部を設けることもできる。あるいは、第１口金４２１および第２口金４２２の両方に凹部４２３を設けることもできる。
【００２０】
図５（Ａ）には給電側ソケット３１が示されており、図５（Ｂ）には接地側ソケット３２が示されている。
なお、給電側ソケット３１および接地側ソケット３２を総称する場合には、ソケット３０で示す。
【００２１】
図５（Ａ）および図５（Ｂ）に示すように、ソケット３０は、ソケット本体３３と、ソケット本体に支持されるソケット受部３４と、を有する。ソケット本体３３上部の取付部３３１には、左右両側面に取付用スリット３３２が設けられている。また、取付部３３１には、下方へ突出する凸部３３３が設けられている。前述した口金４２に設けた凹部４２３は、直管型ＬＥＤランプ４０が規定位置に配置された際に、凸部３３３の外形状に沿うように設けられている。
従って、器具本体２０に設けられているソケット取付孔２０１において、例えば天板２１に取付用スリット３３２を嵌めてスライドすることにより、ソケット３０を取り付けることができる。
【００２２】
図５（Ａ）に示すように、給電側ソケット３１では、ソケット受部３４に２本の第１ピン４３１を挿入するための第１スリット３４１が２本設けられている。第１スリット３４１は、第１ピン４３１の断面形状に対応して断面Ｌ字形状となっており、下方に開口（開口３４１Ａ）している。
これにより、第１ピン４３１を、下方から給電側ソケット３１に挿入することができる。
【００２３】
また、図５（Ｂ）に示すように、接地側ソケット３２では、ソケット受部３４に１本の第２ピン４３２を挿入するための第２スリット３４２が１本設けられている。第２スリット３４２は、第２ピン４３２の断面形状に対応して断面Ｔ字形状となっており、下方に開口（開口３４２Ａ）している。
これにより、第２ピン４３２を、下方から接地側ソケット３２に挿入することができる。
【００２４】
図６（Ａ）および図６（Ｂ）に示すように、ソケット本体３３の内部には、端子台２２とソケット３０を電気的に接続する電線２４に取り付けられて給電される第１の導電板３５と、第１の導電板３５に接続され、ピン４３に導通する第２の導電板３６を有する。
第２の導電板３６の下端部には、下方に向かって外側へ拡がる傾斜部３６１を有し、傾斜部３６１に連続して山型部３６２が形成されている。
また、ソケット受部３４を直管型ＬＥＤランプ４０側へ付勢するスプリング３７を有する。従って、ソケット受部３４は、直管型ＬＥＤランプ４０の長手方向に沿って弾性的に移動可能である。
【００２５】
次に、直管型ＬＥＤランプ４０をソケット３０に挿入する動作について説明する。
ここでは、先に給電側ソケット３１に装着してから、接地側ソケット３２に装着する場合を例示するが、先に接地側ソケット３２に装着する場合も全く同様である。
まず、図６（Ａ）に示すように、第１ピン４３１をソケット受部３４の第１スリット３４１の開口３４１Ａから上向きに挿入する（図６（Ａ）中矢印Ａ参照）。
これにより、第１ピン４３１がソケット３０の第２の導電板３６の傾斜部３６１を外側へ弾性変形させながら、直管型ＬＥＤランプ４０は上昇する。
【００２６】
そして、図６（Ｂ）に示すように、第１ピン４３１は、第２の導電板３６の山型部３６２を乗り越えて、所定位置に保持される。
なお、図６（Ａ）および図６（Ｂ）においては、給電側のみ図示しているが、ピン４３の本数が異なるのを除けば、接地側も全く同様である。
【００２７】
次いで、図７（Ａ）および図６（Ｂ）に示すように、直管型ＬＥＤランプ４０の第１口金４２１で、給電側ソケット３１のソケット受部３４を長手方向外向き（図７（Ｂ）中矢印Ａ参照）に押す。
これにより、図７（Ｂ）に示すように、ソケット受部３４は、スプリング３７の付勢力に抗して、ソケット本体３３内に押し込まれる。
このとき、直管型ＬＥＤランプ４０が長手方向に往復移動するが、第１口金４２１に凹部４２３が設けられているので、第１口金４２１はソケット本体３３の凸部３３３と干渉しない。
【００２８】
次いで、給電側ソケット３１のソケット受部３４を押し込んだ状態で、直管型ＬＥＤランプ４０の他端側の第２口金４２２に設けられている第２ピン４３２を、接地側ソケット３２のソケット受部３４に設けられている第２スリット３４２（図５（Ｂ）参照）に下方から挿入する。
そして、図８（Ａ）および図８（Ｂ）に示すように、直管型ＬＥＤランプ４０を接地側へ少し移動させて（図８（Ａ）および図８（Ｂ）中矢印Ａ参照）、規定位置での装着が完了する。
【００２９】
このとき、給電側ソケット３１のスプリング３７による付勢力と、接地側ソケット３２のスプリング３７による付勢力とが、直管型ＬＥＤランプ４０を挟んで釣り合っている。
すなわち、両方のスプリング３７が縮んだ状態で釣り合うため、ソケット受部３４は直管型ＬＥＤランプ４０の非装着時よりもソケット本体３３の内側に位置する。
このため、第１スリット３４１および第２スリット３４２の入り口である開口３４１Ａおよび開口３４２Ａの一部が隠れるため、直管型ＬＥＤランプ４０の落下を阻止する。
【００３０】
以上、説明した本発明に係る第１実施形態のＬＥＤ照明器具１０によれば、器具本体２０に支持される一対のソケット３０により、直管型ＬＥＤランプ４０の長手方向両端部を支持して給電する。直管型ＬＥＤランプ４０は、長手方向一端部の第１口金４２１に設けられた２本の第１ピン４３１と、長手方向他端部の第２口金４２２に設けられた１本の第２ピン４３２と、を有する。
【００３１】
そして、第１口金４２１および第２口金４２２のうちの少なくとも一方における側面に、直管型ＬＥＤランプ４０が規定位置に配置された際に、器具本体２０に支持されたソケット本体３３の凸部３３３の外形状に沿う凹部４２３を設けた。
このため、口金４２と器具本体２０側の凸部３３３とが干渉しないので、直管型ＬＥＤランプ４０を器具本体２０側に近接して配置することができ、照射範囲を減少することなくＬＥＤ照明器具１０の薄型化を図ることができる。
【００３２】
また、ソケット受部３４を、ソケット本体３３に対して、直管型ＬＥＤランプ４０の長手方向に沿って弾性的に移動可能に設けたので、直管型ＬＥＤランプ４０の着脱の際に、直管型ＬＥＤランプ４０を回転させる必要が無い。
このため、口金４２に設ける凹部４２３は、器具本体２０側にのみ設ければ良いので、容易に設けることができる。
【００３３】
（第２実施形態）
次に、本発明に係る第２実施形態のＬＥＤ照明器具について、図面を用いて説明する。
なお、前述した第１実施形態に係るＬＥＤ照明器具１０と共通する部位には同じ符号を付して、重複する説明を省略することとする。
【００３４】
図９（Ａ）および図９（Ｂ）に示すように、第２実施形態に係るＬＥＤ照明器具１０Ｂでは、器具本体２０側の凸部３３３が、ソケット３０とは別個に器具本体２０の一部２０１に設けられている。
その他の構成は、第１実施形態のＬＥＤ照明器具１０と同様である。
【００３５】
以上、説明した本発明に係る第２実施形態のＬＥＤ照明器具１０Ｂによれば、前述した第１実施形態に係るＬＥＤ照明器具１０と同様の効果を得ることができる。
【００３６】
（第３実施形態）
次に、本発明に係る第３実施形態のＬＥＤ照明器具について、図面を用いて説明する。
なお、前述した第１実施形態に係るＬＥＤ照明器具１０および第２実施形態に係るＬＥＤ照明器具１０Ｂと共通する部位には同じ符号を付して、重複する説明を省略することとする。
【００３７】
図１０に示すように、第３実施形態に係るＬＥＤ照明器具１０Ｃでは、凸部３３３および凹部４２３のうちの一方（ここでは、凹部４２３）に溝部４７を設けた。また、凸部３３３および凹部４２３のうちの他方（ここでは、凸部３３３）には、溝部４７に係合するリブ３８を設けた。
従って、リブ３８を溝部４７に係合した状態で、直管型ＬＥＤランプ４０Ｃの第１口金４２１Ｃ（口金４２Ｃ）を、給電側ソケット３１Ｃ（ソケット３０Ｃ）に対して、相対的に移動できる。
なお、図１０においては、給電側のみ図示しているが、ピン４３の本数が異なるのを除けば、接地側も全く同様である。
【００３８】
以上、説明した本発明に係る第３実施形態のＬＥＤ照明器具１０Ｃによれば、器具本体２０側の凸部３３３および口金４２側の凹部４２３のうちの一方に溝部４７を設け、凸部３３３および凹部４２３のうちの他方に溝部４７と係合するリブ３８を設けた。
このため、リブ３８を溝部４７に沿って相対的にスライドさせることにより、直管型ＬＥＤランプ４０Ｃを容易にスライドして着脱できる。
【００３９】
（第４実施形態）
次に、本発明に係る第４実施形態のＬＥＤ照明器具について、図面を用いて説明する。
なお、前述した第１実施形態に係るＬＥＤ照明器具１０ないし第３実施形態に係るＬＥＤ照明器具１０Ｃと共通する部位には同じ符号を付して、重複する説明を省略することとする。
【００４０】
図１１に、第４実施形態に係るＬＥＤ照明器具１０Ｄを示す。ＬＥＤ照明器具１０Ｄでは、直管型ＬＥＤランプ４０Ｄの口金４２Ｄにおいて第１口金４２１Ｄおよび第２口金４２２のうちの少なくとも一方（ここでは、第１口金４２１Ｄ）における側面としての凹部４２３に突起４８Ｄを設けた。
また、給電側ソケット３１Ｄ（ソケット３０Ｄ）の凸部３３３には、直管型ＬＥＤランプ４０Ｄが規定位置に配置された際に、突起４８Ｄに操作されるスイッチ部３９を設けた。スイッチ部３９としては、第１の導電板３５にスイッチ端子３５１と、スイッチ端子３５１に接触して導通するスイッチ片３５２を設けた。スイッチ片３５２は、直管型ＬＥＤランプ４０Ｄの非装着時にはスイッチ端子３５１から離れる方向に付勢されるとともに、スイッチ端子３５１側に弾性変形可能に設ける。
なお、スイッチ部３９と突起４８Ｄとの位置関係は、適正な直管型ＬＥＤランプ４０Ｄを正常に装着したときのみ接触して導通するように設定する。
【００４１】
以上、説明した本発明に係る第４実施形態のＬＥＤ照明器具１０Ｄによれば、第１口金４２１Ｄの凹部４２３に突起４８Ｄを設けた。また、直管型ＬＥＤランプ４０を規定位置に配置した際に、突起４８Ｄに操作されるスイッチ部３９を、器具本体２０側の凸部３３３に設け、スイッチ部３９のオン・オフにより第１口金４２１Ｄに対して通電するようにした。
このため、突起４８Ｄとスイッチ部３９とが対応しない位置となるような、誤った直管型ＬＥＤランプ４０Ｄ（例えば、Ｗ数が異なるランプ）等を装着した際に、通電を防止できる。これにより、ＬＥＤ照明器具１０Ｄや直管型ＬＥＤランプ４０の破損を防止して、安全に使用できる。
【００４２】
（第５実施形態）
次に、本発明に係る第５実施形態のＬＥＤ照明器具について、図面を用いて説明する。
なお、前述した第１実施形態に係るＬＥＤ照明器具１０ないし第４実施形態に係るＬＥＤ照明器具１０Ｄと共通する部位には同じ符号を付して、重複する説明を省略することとする。
【００４３】
図１２に示すように、第５実施形態に係るＬＥＤ照明器具１０Ｅでは、直管型ＬＥＤランプ４０Ｅの口金４２Ｅにおいて第１口金４２１Ｅおよび第２口金４２２のうちの少なくとも一方（ここでは、第１口金４２１Ｅ）における側面４２４に突起４８Ｅを設けた。
また、給電側ソケット３１Ｅ（ソケット３０Ｅ）の凸部３３３には、直管型ＬＥＤランプ４０Ｅが規定位置に配置された際に、突起４８Ｅに操作されるスイッチ部３９を設けた。
なお、スイッチ部３９としては、第４実施形態において用いたものを使用することができるので、説明を省略する。
【００４４】
以上、説明した本発明に係る第５実施形態のＬＥＤ照明器具１０Ｅによれば、第１口金４２１Ｅの側面４２４に突起４８Ｅを設けた。そして、直管型ＬＥＤランプ４０Ｅを規定位置に配置した際に、突起４８Ｅに操作されるスイッチ部３９を器具本体２０側の凸部３３３に設け、スイッチ部３９により第１口金４２１Ｅに対して通電するようにした。
このため、突起４８Ｅとスイッチ部３９とが対応しない位置となるような、誤った直管型ＬＥＤランプ４０Ｅ（例えば、Ｗ数が異なるランプ）を装着した際に、通電を防止できる。これにより、ＬＥＤ照明器具１０Ｅや直管型ＬＥＤランプ４０の破損を防止して、安全に使用できる。
【００４５】
（第６実施形態）
次に、本発明に係る第６実施形態のＬＥＤ照明器具について、図面を用いて説明する。
なお、前述した第１実施形態に係るＬＥＤ照明器具１０ないし第５実施形態に係るＬＥＤ照明器具１０Ｅと共通する部位には同じ符号を付して、重複する説明を省略することとする。
【００４６】
図１３に、第６実施形態に係るＬＥＤ照明器具１０Ｆを示す。ＬＥＤ照明器具１０Ｆでは、直管型ＬＥＤランプ４０Ｆの口金４２Ｆにおいて第１口金４２１Ｆおよび第２口金４２２のうちの少なくとも一方（ここでは、第１口金４２１Ｆ）における側面としての凹部４２３に突起４８Ｆを設けた。
また、凸部３３３は、給電側ソケット３１Ｆ（ソケット３０Ｆ）とは別個に器具本体２０の一部２０１に設けられており、この凸部３３３には、直管型ＬＥＤランプ４０Ｆが規定位置に配置された際に、突起４８Ｆに操作されるスイッチ部５１を設けた。
【００４７】
スイッチ部５１としては、器具本体２０の一部２０１に設けた第１スイッチ板５１１にスイッチ端子５１３を設け、スイッチ端子５１３に接触して導通する第２スイッチ板５１２を設けた。第１スイッチ板５１１および第２スイッチ板５１２は、制御回路５１４に接続されている。制御回路５１４は、給電側ソケット３１Ｆ（ソケット３０Ｆ）に供給する電力を制御する。
第２スイッチ板５１２の先端部５１２Ａは、直管型ＬＥＤランプ４０Ｆの非装着時にはスイッチ端子５１３から離れる方向に付勢されるとともに、スイッチ端子５１３側に弾性変形可能に設ける。
なお、スイッチ部５１と突起４８Ｆとの位置関係は、適正な直管型ＬＥＤランプ４０Ｆを正常に装着したときのみ接触して導通するように設定する。
【００４８】
以上、説明した本発明に係る第６実施形態のＬＥＤ照明器具１０Ｆによれば、第１口金４２１Ｆの凹部４２３に突起４８Ｆを設けた。また、直管型ＬＥＤランプ４０Ｆを規定位置に配置した際に、突起４８Ｆに操作されるスイッチ部５１を器具本体２０の一部２０１に設けられた凸部３３３に設け、スイッチ部５１により制御回路５１４を介して第１口金４２１Ｆに対して通電するようにした。
このため、突起４８Ｆとスイッチ部５１とが対応しない位置となるような、誤った直管型ＬＥＤランプ４０Ｆ（例えば、Ｗ数が異なるランプ）等を装着した際に、通電を防止できる。これにより、ＬＥＤ照明器具１０Ｆや直管型ＬＥＤランプ４０の破損を防止して、安全に使用できる。
【００４９】
（第７実施形態）
次に、本発明に係る第７実施形態のＬＥＤ照明器具について、図面を用いて説明する。
なお、前述した第１実施形態に係るＬＥＤ照明器具１０ないし第６実施形態に係るＬＥＤ照明器具１０Ｆと共通する部位には同じ符号を付して、重複する説明を省略することとする。
【００５０】
図１４に、第７実施形態に係るＬＥＤ照明器具１０Ｇを示す。ＬＥＤ照明器具１０Ｇでは、直管型ＬＥＤランプ４０Ｇの口金４２Ｇにおいて第１口金４２１Ｇおよび第２口金４２２のうちの少なくとも一方（ここでは、第１口金４２１Ｇ）における側面４２４に突起４８Ｇを設けた。
また、凸部３３３は、給電側ソケット３１Ｇ（ソケット３０Ｇ）とは別個に器具本体２０の一部２０１に設けられており、この凸部３３３には、直管型ＬＥＤランプ４０Ｇが規定位置に配置された際に、突起４８Ｇに操作されるスイッチ部５１を設けた。
なお、スイッチ部５１としては、第６実施形態で用いたものと同じものを用いることができるので、説明を省略する。
【００５１】
以上、説明した本発明に係る第７実施形態のＬＥＤ照明器具１０Ｇによれば、第１口金４２１Ｇの側面４２４に突起４８Ｇを設けた。また、直管型ＬＥＤランプ４０Ｇを規定位置に配置した際に、突起４８Ｇに操作されるスイッチ部５１を器具本体２０の一部２０１に設けられた凸部３３３に設け、スイッチ部５１により制御回路５１４を介して第１口金４２１Ｇに対して通電するようにした。
このため、突起４８Ｇとスイッチ部５１とが対応しない位置となるような、誤った直管型ＬＥＤランプ４０Ｇ（例えば、Ｗ数が異なるランプ）等を装着した際に、通電を防止できる。これにより、ＬＥＤ照明器具１０Ｇや直管型ＬＥＤランプ４０Ｇの破損を防止して、安全に使用できる。
【００５２】
なお、本発明のＬＥＤ照明器具は、前述した各実施形態に限定されるものでなく、適宜な変形，改良等が可能である。
例えば、前述した各実施形態においては、直管型ＬＥＤランプ４０をソケット３０に押し込んで装着するプランジャー型について説明したが、図１５に示すように、回転により直管型ＬＥＤランプ４０Ｈを装着するＬＥＤ照明器具１０Ｈにも適用できる。
この場合、第１口金４２１Ｈ（口金４２Ｈ）および第２口金４２２Ｈ（口金４２Ｈ）に設ける凹部４２３Ｈは、少なくとも９０度程度必要となる。
これにより、前述した各実施形態と同様の作用・効果を得ることができる。
【００５３】
また、前述した各実施形態においては、ソケット３０の取付用スリット３３２に器具本体２０を挿入して、ソケット３０を吊下げ状態で取り付ける場合を例示した。このほか、図１６（Ａ）および図１６（Ｂ）に示すようにソケット３０の背面を器具本体２０の取付壁２０２に取り付けることも可能である。
すなわち、給電側ソケット３１Ａおよび接地側ソケット３２Ａの背面側にアーム３１１，３２１を設け、アーム３１１，３２１の先端に取付爪３１２，３２２を設ける。そして、取付爪３１２，３２２を、器具本体２０の取付壁２０２に設けられている器具取付孔２０３に挿嵌して取り付ける。
これにより、前述した各実施形態と同様の作用・効果を得ることができる。
【符号の説明】
【００５４】
１０  ＬＥＤ照明器具
２０  器具本体
３０  ソケット
３３  ソケット本体
３３３  凸部
３４  ソケット受部
３８  リブ
３９，５１  スイッチ部
４０  直管型ＬＥＤランプ
４２１  第１口金
４２２  第２口金
４２３  凹部
４２４  側面
４３１  第１ピン
４３２  第２ピン
４７  溝部
４８  突起
【図１】
2013127868.tif 000003
【図２】
2013127868.tif 000004
【図３】
2013127868.tif 000005
【図４】
2013127868.tif 000006
【図５】
2013127868.tif 000007
【図６】
2013127868.tif 000008
【図７】
2013127868.tif 000009
【図８】
2013127868.tif 000010
【図９】
2013127868.tif 000011
【図１０】
2013127868.tif 000012
【図１１】
2013127868.tif 000013
【図１２】
2013127868.tif 000014
【図１３】
2013127868.tif 000015
【図１４】
2013127868.tif 000016
【図１５】
2013127868.tif 000017
【図１６】
2013127868.tif 000018
【図１７】
2013127868.tif 000019
【図１８】
2013127868.tif 000020